(57)【要約】【課題】安価にガス器具の使用に応じて警報を行う警報装置を提供すること、特に、不完全燃焼事故防止に役立つ換気警報を報知する警報装置を提供すること。【解決手段】ガスメータなどのガス器具使用検出手段が、検出したガス流量に基づき、ガス容器１ａ又は１ｂの下流側に設けられている不完全燃焼事故につながりやすいガス器具（瞬間ガス湯沸かし器９１、ガスファンヒータ９３など）が使用されていることを検出し、その検出結果に応じた使用情報をガス漏れ警報器１０などの室内装置に送信する。ガス漏れ警報器１０などの室内装置が、受信した使用情報に基づき、特定ガス器具の継続使用経過時間を計測し、ガス器具の種類と継続使用経過時間に応じて予め定めたガス器具使用に係る警報、特に換気注意メッセージを報知する。【選択図】図１
2008241233.tif 000002
【特許請求の範囲】
【請求項１】
ガス器具の使用状況に応じて警報を行う警報装置であって、
ガス器具へ流れるガス流量を計測するガス流量計測手段と、
前記ガス流量計測手段により計測されたガス流量に基づいて使用されている前記ガス器具を検出するガス器具使用検出手段と、
該ガス器具使用検出手段により使用を検出された前記ガス器具の使用状況に応じて警報を行う警報手段とを備える警報装置。
【請求項２】
前記警報手段が、前記ガス器具の使用状況に応じて警報を生成する警報生成手段と、
前記警報を報知する報知手段とを有する請求項１に記載された警報装置。
【請求項３】
前記警報生成手段が前記ガス器具の使用開始からの継続使用経過時間に基づいて警報を生成する請求項１又は2いずれか１項に記載された警報装置。
【請求項４】
前記警報生成手段は、前記ガス器具の使用開始からの継続使用経過時間に応じた表示、及び／又は、警報メッセージ、及び／又は、警報音を生成するための情報が蓄えられた記憶手段を有し、前記警報生成手段が、前記記憶手段を参照して得られる表示、及び／又は、警報メッセージ、及び／又は、警報音を警報として生成する請求項３に記載された警報装置。
【請求項５】
前記警報が、換気を促す警報を含むことを特徴とする請求項４に記載された警報装置。
【請求項６】
ガス流量計測手段、又は前記ガス器具使用検出手段のうち少なくとも一つがガスメータに設けられていることを特徴とする請求項1乃至５いずれか1項に記載された警報装置。
【請求項７】
前記警報手段が、ガス漏れ警報器、ＣＯ警報器、火災警報器、宅内情報盤のうち少なくてもいずれか一つに設けられていることを特徴とする１乃至６いずれか１項に記載された警報装置。
【請求項８】
さらに、前記ガス器具使用検出手段が、前記警報手段の設けられたガス漏れ警報器、ＣＯ警報器、火災警報器、宅内情報盤のいずれか一つに設けられていることを特徴とする請求項７に記載された警報装置。
【請求項９】
前記警報手段の機能を前記ガス器具を選択して停止させる警報選択手段を備えていることを特徴とする請求項1乃至８いずれか1項に記載された警報装置。
【請求項１０】
前記ガス器具の使用状況に応じて警報を行うと共に換気手段を制御する制御手段を備えていることを特徴とする請求項1乃至９いずれか1項に記載された警報装置。
【発明の詳細な説明】
【技術分野】
【０００１】
この発明は、ガス器具の使用状況に応じて警報を行う警報装置に係わり、特に、ガス器具へ流れるガス流量に基づいて換気警報を行う警報装置に関する。
【背景技術】
【０００２】
従来、ガス器具にガスを供給するガス供給システム及び警報器は、ＬＰガスの場合、図８に示すように構成されている。同図に示すように、２本のガス容器１ａ及び１ｂからの高圧のガス は、高圧ホース２ａ及び２ｂを介して、圧力調整器３に供給される。この圧力調整器３によって、ガス容器１ａ及び１ｂからの高圧のガスは、所定の圧力のガスに調圧される。なお、都市ガスの場合は、ガス容器、圧力調整器などが不要となる。
【０００３】
調圧されたガスは、途中に閉止コック４を有するガス管路５を介してガスメータ６に供給された後、さらにガス管路７、このガス管路７から分岐した分岐ガス管路８を介してガス器具９まで供給される。上記ガスメータ６は、ガス容器１ａ又は１ｂからガス器具９へと流れるガス流量を検出し、この検出したガス流量を積算してガス使用量として検出する。
【０００４】
ガス器具としては、ガス給湯器９１、ガステーブル９２、ガスストーブ９３、ガス風呂釜９４などが想定される。これらガス器具の使用に当たってはガス使用者の安全の確保のために、後述するガスメータにガス遮断機能及びガス使用に関する警報器能などが備えられ、ガス器具にも不完全燃焼防止装置の付設が行われている。さらにガス使用者側の安全設備としてガス漏れ警報器、ＣＯ警報器が備えられることもある。
【０００５】
しかし、不完全燃焼防止装置がついていないガス器具も多く使われており、経済的な負担もあってガス漏れ警報器に加えＣＯ警報器までを全てのガス使用者に求めることは難しく、さらにガス器具の設置された部屋にそれぞれ個別にＣＯ警報器を備えることを期待することは困難と思われる。
【０００６】
ここで、平成8年から平成17年のＣＯ中毒事故の燃焼器具別の原因別件数を表１に示す。事故原因の内、排気設備などの不具合によるものが４６件、長時間使用・換気不良によるものが３２件であることが分かる。事故原因となる燃焼器具は、瞬間湯沸かし器、ふろがまが主であり、さらに、給排気の種類では、給排気を室内空間で行う開放式、排気筒を有するが排気の流れは自然に任せるＣＦ式、排気筒と排気用送風機を有する強制排気のＦＥ式のものが多いことからＣＯ中毒事故は特定のガス器具に関連するものが多いことが分かる。
【０００７】
【表１】
2008241233.tif 000003
【０００８】
一酸化炭素中毒事故を効果的に防ぐには、一酸化炭素中毒事故を起こしやすい器具について重点的に対策を講じることが望ましい（これ以降、ＣＯと一酸化炭素は同じ意味で用い、文脈で使い分ける）。そこで、一酸化炭素中毒事につながる不完全燃焼事故を起こしやすい特定ガス消費機器の設置工事に関しては、特定ガス消費機器の設置工事の監督に関する法律（特監法）があり、表１に表れる中毒事故を起こしやすい特定のガス燃焼器具（ガス風呂釜、ガス瞬間湯沸し器）に関わる工事について規定されている。
【０００９】
ガスの不完全燃焼と一酸化炭素の関係を説明すると、中毒事故を起こす一酸化炭素は、炭化水素で構成されるガスの燃焼過程で発生する。一般に炭化水素の燃焼反応は大きく２段に分けられ、１段目の反応は炭化水素がO2と反応して一酸化炭素COや水素H2になり、２段目の反応でそのCOとH2が炭酸ガスCO2と 水蒸気H2Oになる。１段目の反応は速いが、２段目の反応、特にCOから CO2への反応は遅い。ここで、空気すなわち酸素O2が少ない場合、１段目の反応は起きるが、それでO2を使い切ってしまうと２段目の反応が起きない。そうするとCOやH2が燃えずに多量に排出され、空気中の一酸化炭素濃度が上昇して一酸化炭素中毒を起こすこととなる。つまり、「不完全燃焼」というのは、１段目の反応 は起きるが２段目の反応が起きない、あるいは２段目が不十分であるという意味で使われ、ガスの不完全燃焼により一酸化炭素が発生することとなる。
【００１０】
一酸化炭素中毒の危険については、機器の燃焼量、排ガス中のCO濃度、部屋の大きさ、換気回数によって異なるが、一般的には、CO濃度（％）×呼吸時間（分）の値が３を超えると人体に影響があるといわれている。具体的には、発生した一酸化炭素の空気中濃度が、０．０２％では２〜３時間の吸入で軽度の頭痛を起こし、０．０８％では４５分間の吸入で吐き気、けいれんを起こし、１．２８％の吸入では１〜３分間で死亡すると言われており、ガス器具を使用する際には、一酸化炭素による中毒事故を防止するために、燃焼に必要な給気を行いガス燃焼に伴って発生する不要なガスを排気をすること、すなわち換気を十分に行うことが必要である。ガス事業者は、専門家の立場から不完全燃焼事故を防止するためには、ガス器具を室内で使用する場合には換気をすることが当然であるとしているが、一酸化炭素ガスが無臭であることもあって一般のガス使用者は換気の重要性についての認識は必ずしも高くない。そこで、一酸化炭素による中毒事故を防止するためにはガス使用者に室内でのガス器具使用時に換気の必要性を喚起する必要性が生じる。
【００１１】
ガス使用中であることをガスメータからの信号でガス漏れ警報器へ報せ、さらに、ガス器具の使用者に、ガス漏れ警報器からメロディーなどでガスが使用中であることに注意を促すガス使用報知システムの提案が特許文献１においてされている。
【００１２】
また、ガス器具を使用検出して、ガス使用時間が異常に長い場合に行うガス遮断に先立って使用時間遮断の予告を行う使用時間遮断予告警報機能が特許文献２に提案されている。上記の使用ガス器具の使用検出は、ガスメータを通過するガス流量に基づいて行われており、さらに精密なガス器具判断手法として、図１０に示すようにガス器具特有のガス流量パターンを、点火期Ａ、過渡期Ｂ，安定期Ｃに分けて予め用意されたパターンテーブルとのマッチングからガス器具を判定することが特許文献３において説明されている。
【特許文献１】特開２００４−１９９５６
【特許文献２】特開平２００３−３０２２７４
【特許文献３】特開平２００３−１４８７２８
【発明の開示】
【発明が解決しようとする課題】
【００１３】
特許文献１のガス漏れ警報器はガス漏れに関しての報知機能はあるものの、不完全燃焼事故を防止するための換気に関する報知機能は有していなかった。また、特許文献２のガス遮断に先立って警報器に予告警報を出力するガスメータにも換気警報の機能は有していなかった。さらに、不完全燃焼事故を防止するために、ガス使用者がＣＯ警報器を備え警報器が鳴った段階で換気を行うことでも中毒事故は防止することができるが、現状ではＣＯ警報器の設置は必ずしも多くないことを踏まえるとガス器具を設置した各々の部屋に全てＣＯ警報器の設置を期待することは非常に困難であるという問題点がある。また、ガス漏れ警報器とＣＯ警報器を個別に設置することは、ガス使用者の経済的な負担となり、見栄えも良くない。特に、ＬＰガスのガス漏れ警報器は床の近くに設置されるが、ＣＯ警報器は天井近くに設置されるので、美観上の問題もある（図８参照）。
【００１４】
そこで、本発明は上記のような問題点に着目し、ガス使用者の便宜のために、ガス器具の使用に応じて警報を行う警報装置を提供すること、特に、不完全燃焼事故防止に役立つ換気警報を報知する警報装置を提供することを課題とす る。
【課題を解決するための手段】
【００１５】
上記課題を解決するためになされた請求項１記載の発明は、ガス器具の使用状況に応じて警報を行う警報装置であって、ガス器具へ流れるガス流量を計測するガス流量計測手段と、前記ガス流量計測手段により計測されたガス流量に基づいて使用されている前記ガス器具を検出するガス器具使用検出手段と、該ガス器具使用検出手段により使用を検出された前記ガス器具の使用状況に応じて警報を行う警報手段とを備える警報装置である。
【００１６】
請求項１記載の発明によれば、ガス器具の使用状況に応じて警報を行う警報装置であって、ガス器具へ流れるガス流量を計測するガス流量計測手段と、前記ガス流量計測手段により計測されたガス流量に基づいて使用されている前記ガス器具を検出するガス器具使用検出手段と、該ガス器具使用検出手段により使用を検出された前記ガス器具の使用状況に応じて警報を行う警報手段とを備える警報装置であるので、使用されているガス器具を検出して、該ガス器具の使用状況に応じた警報を行うことができる。
【００１７】
請求項２記載の発明は、前記警報手段が、前記ガス器具の使用状況に応じて警報を生成する警報生成手段と、前記警報を報知する報知手段とを有する請求項１に記載された警報装置である。
【００１８】
請求項２記載の発明によれば、警報装置が前記警報手段が、前記ガス器具の使用状況に応じて警報を生成する警報生成手段と、前記警報を報知する報知手段とを有する請求項１に記載された警報装置であるので、ガス器具の使用状況に応じてガス器具使用者の便宜を図る、各種警報を生成し報知することができる。
【００１９】
請求項３記載の発明は、前記警報生成手段が前記ガス器具の使用開始からの継続使用経過時間に基づいて警報を生成する請求項１又は2いずれか１項に記載された警報装置である。
【００２０】
請求項３記載の発明によれば、前記警報生成手段が前記ガス器具の使用開始からの継続使用経過時間に基づいて警報を生成する請求項１又は2いずれか１項に記載された警報装置であるので、継続使用によって生じるガス使用環境の問題について警報を生成することができる。
【００２１】
請求項４記載の発明は、前記警報生成手段が、前記ガス器具の使用開始からの継続使用経過時間に応じた表示、及び／又は、警報メッセージ、及び／又は、警報音を生成するための情報が蓄えられた記憶手段を有し、前記警報生成手段が、前記記憶手段を参照して得られる表示、及び／又は、警報メッセージ、及び／又は、警報音を警報として生成する請求項３に記載された警報装置である。
【００２２】
請求項４記載の発明によれば、前記警報生成手段が、前記ガス器具の使用開始からの継続使用経過時間に応じた表示、及び／又は、警報メッセージ、及び／又は、警報音を生成するための情報が蓄えられた記憶手段を有し、前記警報生成手段が、前記記憶手段を参照して得られる表示、及び／又は、警報メッセージ、及び／又は、警報音を警報として生成する請求項３に記載された警報装置であるので、継続使用経過時間に応じた的確な警報を生成することができる。
【００２３】
請求項５記載の発明は、前記警報が、換気を促す警報を含むことを特徴とする請求項４に記載された警報装置である。
【００２４】
請求項５記載の発明によれば、前記警報が換気を促す警報を含むことを特徴とする請求項４に記載された警報装置であるので、ガス器具の使用状況に応じて換気を促す警報を生成することができる。
【００２５】
請求項６記載の発明は、ガス流量計測手段、又は前記ガス器具使用検出手段のうち少なくとも一つがガスメータに設けられていることを特徴とする請求項1乃至５いずれか1項に記載された警報装置である。
【００２６】
請求項６記載の発明によれば、ガス流量計測手段、又は前記ガス器具使用検出手段のうち少なくとも一つがガスメータに設けられていることを特徴とする請求項1乃至５いずれか1項に記載された警報装置であるので、ガスメータの機能を有効に利用して警報装置を構成することができる。
【００２７】
請求項７記載の発明は、前記警報手段が、ガス漏れ警報器、ＣＯ警報器、火災警報器、宅内情報盤のうち少なくてもいずれか一つに設けられていることを特徴とする１乃至６いずれか１項に記載された警報装置である。
【００２８】
請求項７記載の発明によれば、前記警報手段が、ガス漏れ警報器、ＣＯ警報器、火災警報器、宅内情報盤のうち少なくてもいずれか一つに設けられていることを特徴とする１乃至６いずれか１項に記載された警報装置であるので、警報機能を有する様々な室内機器を用いて警報装置を構成することができる。
【００２９】
請求項８記載の発明は、さらに、前記ガス器具使用検出手段が、前記警報手段の設けられたガス漏れ警報器、ＣＯ警報器、火災警報器、宅内情報盤のいずれか一つに設けられていることを特徴とする請求項７に記載された警報装置である。
【００３０】
請求項８記載の発明によれば、さらに、前記ガス器具使用検出手段が、前記警報手段の設けられたガス漏れ警報器、ＣＯ警報器、火災警報器、宅内情報盤のいずれか一つに設けられていることを特徴とする請求項７に記載された警報装置であるので、ガス流量計測手段があれば、そこから得られるガス流量に基づいて簡便に警報装置を構成することができる。
【００３１】
請求項９記載の発明は、前記警報手段の機能を前記ガス器具を選択して停止させる警報選択手段を備えていることを特徴とする請求項1乃至８いずれか1項に記載された警報装置である。
【００３２】
請求項９記載の発明によれば、前記警報手段の機能を前記ガス器具を選択して停止させる警報選択手段を備えていることを特徴とする請求項1乃至８いずれか1項に記載された警報装置であるので、選択されたガス器具についての警報の報知を停止することができる。
【００３３】
請求項１０に記載の発明は、前記ガス器具の使用状況に応じて警報を行うと共に換気手段を制御する制御手段を備えていることを特徴とする請求項1乃至９いずれか1項に記載された警報装置である。
【００３４】
請求項１０に記載の発明によれば、ガス器具の使用に伴う換気不足の問題を換気手段を制御することで解決することができる。例えば換気扇などの換気手段への給電を制御するので警報装置に換気扇を接続しておくことで必要に応じて換気扇を駆動してガス使用者の介在なしにガス使用環境の換気を行うことができる。
【発明の効果】
【００３５】
請求項１記載の発明によれば、ガス器具の使用状況に応じて警報を行う警報装置であって、ガス器具へ流れるガス流量を計測するガス流量計測手段と、前記ガス流量計測手段により計測されたガス流量に基づいて使用されている前記ガス器具を検出するガス器具使用検出手段と、該ガス器具使用検出手段により使用を検出された前記ガス器具の使用状況に応じて警報を行う警報手段とを備える警報装置であるので、使用されているガス器具を検出して、該ガス器具の使用状況に応じた警報が行われることにより、ガス使用者がガス器具をより安全に快適に使用することができる。
【００３６】
請求項２記載の発明によれば、警報装置が前記警報手段が、前記ガス器具の使用状況に応じて警報を生成する警報生成手段と、前記警報を報知する報知手段とを有する請求項１に記載された警報装置であるので、ガス器具の使用状況に応じてガス器具使用者の便宜を図る、各種警報を生成し報知することができることにより、ガス使用者がガス器具をより安全に快適に使用することができる。
【００３７】
請求項３記載の発明によれば、前記警報生成手段が前記ガス器具の使用開始からの継続使用経過時間に基づいて警報を生成する請求項１又は2いずれか１項に記載された警報装置であるので、継続使用によって生じるガス使用環境の問題について警報を生成することができることから、ガス器具の継続使用経過時間に応じたきめ細かな警報を報知することができるガス使用者の便宜を図ることができる。
【００３８】
請求項４記載の発明によれば、前記警報生成手段が、前記ガス器具の使用開始からの継続使用経過時間に応じた表示、及び／又は、警報メッセージ、及び／又は、警報音を生成するための情報が蓄えられた記憶手段を有し、前記警報生成手段が、前記記憶手段を参照して得られる表示、及び／又は、警報メッセージ、及び／又は、警報音を警報として生成する請求項３に記載された警報装置であるので、継続使用経過時間に応じた的確な警報を生成することができることから、ガス使用者は的確な警報を受けて安全且つ快適にガス器具を使用することができる。
【００３９】
請求項５記載の発明によれば、前記警報が換気を促す警報を含むことを特徴とする請求項４に記載された警報装置であるので、ガス器具の使用状況に応じて換気を促す警報を生成することができることから、ガス器具使用時のガス使用者の安全性が高まる。
【００４０】
請求項６記載の発明によれば、ガス流量計測手段、又は前記ガス器具使用検出手段のうち少なくとも一つがガスメータに設けられていることを特徴とする請求項1乃至５いずれか1項に記載された警報装置であるので、ガスメータの機能を有効に利用して警報装置を構成することができることができることから、安価に警報装置を構成することができる。
【００４１】
請求項７記載の発明によれば、前記警報手段が、ガス漏れ警報器、ＣＯ警報器、火災警報器、宅内情報盤のうち少なくてもいずれか一つに設けられていることを特徴とする１乃至６いずれか１項に記載された警報装置であるので、警報機能を有する様々な室内機器を用いて警報装置を構成することができることから、警報装置を安価に構成することができる。
【００４２】
請求項８記載の発明によれば、前記報知手段が、ガス漏れ警報器、ＣＯ警報器、火災警報器、宅内情報盤のいずれかである請求項１乃至７いずれか1項に記載の警報装置であるので、様々な室内機器を用いた警報装置を構成することができ、多様な室内機器から警報の報知をすることができ、警報装置を構成する際の経済的なメリットがある。
【００４３】
請求項９記載の発明によれば、前記警報手段の機能を前記ガス器具を選択して停止させる警報選択手段を備えていることを特徴とする請求項1乃至８いずれか1項に記載された警報装置であるので、選択されたガス器具についての警報機能を停止することができることから、ガス器具使用者は不要な警報をキャンセルすることができ、ガス使用者が煩わしいと感じることを防ぎながら、不完全燃焼防止の環境を提供することで不完全燃焼事故の防止につながる。
【００４４】
請求項１０に記載の発明によれば、ガス器具の使用に伴う換気不足の問題を換気手段を制御することで解決することができる。例えば換気扇などの換気手段への給電を制御するので警報装置に換気扇を接続しておくことで必要に応じて換気扇を駆動してガス使用者の介在なしにガス使用環境の換気を行うことができることから、ガス使用者が換気警報に気がつかない場合でも、自動的に換気を行うのでガス使用者のガス器具使用の際の安全性を高めることができ、不完全燃焼事故の防止につながる。
【発明を実施するための最良の形態】
【００４５】
以下、本発明の実施の形態を図面に基づいて説明する。本発明の警報装置を構成する各手段は一体に収められていても、適宜分離していてもよい。図１は、本発明の換気警報装置を組み込んだＬＰガス供給設備の一実施の形態を示す図である。本図においてガスメータがガス流計測手段及びガス器具使用検出手段であり、ガス漏れ警報器が報知手段である。同図に示すように、２本のガス容器１ａ及び１ｂからの高圧のガスは、高圧ホース２ａ及び２ｂを介して、圧力調整器３に供給される。この圧力調整器３によっ て、ガス容器１ａ及び１ｂからの高圧のガスは、所定の圧力のガスに調圧される。
【００４６】
調圧されたガスは、途中に閉止コック４を有するガス管路５を介してガスメータ６に供給された後、さらにガス管路７を通り、このガス管路７から分岐した分岐ガス 管路８を介して、主に室内に設けられたガス器具９に供給されている。このガス器具９としては、例えば、給湯器９１、ガステーブル９２、ガスヒータ９３、ガス 風呂がま９４などがある。なお、都市ガスの場合は、ガス容器、圧力調整器などは不要になる。
【００４７】
また、上記ガスメータ６には、室内に設けられたガス漏れ警報器１０が接続され、場合によってＣＯ警報器１１が備えられている。ガス漏れ警報器１０は、雰囲気中のガス濃度が予め定められた閾値以上となったとき、ガス漏れを検出し、後述するスピーカからブザー音を出力させたり、ＬＥＤを点滅させたりして、ガス漏れ報知を行うものである。またＣＯ警報器は不完全燃焼による一酸化炭素濃度の上昇を検出してブザー音を出力させたり、ＬＥＤを点滅させたりして、不完全燃焼の報知を行うものである。
【００４８】
次に、ガス器具判定手段としてのガスメータ６の内部構成について、図２を参照して説明する。同図に示すように、ガスメータ６は、積算表示部６１、計量部６２、流量センサ６３を備えている。
【００４９】
上記積算表示部６１は、ガス供給源であるガス容器１ａ又は１ｂからガス器具９に供給されるガスの流量がカウント表示（積算表示）される。そして、この積算表示部６１は、計量部６２を介して流量センサ６３に接続されている。
【００５０】
上記流量センサ６３は、例えば計量部６２内の回転運動を利用して、ガス容器１ａ又は１ｂからガス器具９に対してガスが一定流量、流れる毎にパルスを出力する流量センサである。流量の計量は、超音波を用いたり、熱的な方法で行っても良い。また、この流量センサからのガス流量を警報器へ送り、警報器でガス器具の使用検出をするように構成してもよい。
【００５１】
ガスメータ６は、弁閉により、ガス容器１ａ又は１ｂからガス器具９へのガス供給を遮断する遮断弁６４と、ガス漏れ警報器１０が接続される端子台６５と、伝送コントローラ（ＮＣＵ）１１が接続される端子台６６とを備えている。この端子台を増設して各種設定を行えるようにしてもよい。その際、後述の、使用検出対象となるガス器具の種類、そのガス器具の設置された場所の、広さ、換気環境などのガス器具が設置された環境情報の設定を行い、端子台６５を介してガス漏れ警報器へ情報を伝送するようにしてもよい。
【００５２】
上記ＮＣＵ１１は、電話線を通じて、電話回線網に接続し、遠隔の管理センタとの通信を行うためのモデム（図示せず）及び電話線の接続を加入者電話機とガスメータ６との間で切り替える自動切替器（図示せず）を備えている。
【００５３】
さらに、ガスメータは、制御回路６７を備えている。制御回路６７は、主制御部であるマイクロコンピュータ（μＣＯＭ）６７ａと、動作電源として機能する電池６７ｂと、インタフェース６７ｃなどから構成されている。
【００５４】
上記μＣＯＭ６７ａは、プログラムや固定データなどを格納する読み出し専用のメモリであるＲＯＭ６７ａ１、このＲＯＭ６７ａ１に格納したプログラムに 従って各種の処理演算を行う中央処理ユニット（ＣＰＵ）６７ａ２と、ＣＰＵ６７ａ２における処理に利用する作業エリアや処理演算結果を格納するデータ格納 エリアを有する読み出し書き込み自在のメモリであるＲＡＭ６７ａ３を内蔵する。
【００５５】
また、上述したインタフェース６７ｃには、流量センサ６３のパルス出力端、、遮断弁６４の制御端、端子台６５及び６６などが接続されている。
【００５６】
上述したガスメータ６内のＣＰＵ６７ａ２は、ガス容器１ａ又は１ｂからガス器具９へと流れるガス流量を検出し、この検出したガス流量を積算してガス使用量として検出する計量処理、ガス漏れ警報器１０がガス漏れを検出すると、ＮＣＵ１１を制御して、遠隔にある管理センタに、ガス漏れを通報するガス漏れ通報 処理とを行う。
【００５７】
上記ＣＰＵ６７ａ２は、さらに、ガス使用時間が予め定めた使用時間遮断値を超えたとき、ガス漏れや、ガスホース抜けが発生していると判断して、ガス供給 を遮断する使用時間遮断処理を行う。ガス器具の使用時間は、通常、図９に示すように湯沸器は使用開始から３０分程度だが、ストーブは使用開始から数時間に及ぶというガス器具の使用態様により大きく異なるので、ガス流量の時間に対する変化を計測することで使用ガス器具を推定して、異常に長時間の使用が検出された時に使用時間遮断を行うことができる。また、ＣＰＵ６７ａ２はガス器具９のうちいずれかが使用されているか否かを検出し、その検出結果に応じたコード信号（＝使用情報）を送信する送信処理を備えている。
【００５８】
上述したＲＡＭ６７ａ３内には、検出可能な流量範囲を複数に分割して得た流量区分毎に定められた使用時間遮断値が格納されている。なお、流量区分 は、例えば、２１リットル／ｈ未満の流量区分１、２１リットル以上６３リットル／ｈ未満の流量区分２−１、６３以上１２５リットル／ｈ未満の流量区分２−２、１２５以上２１０リットル／ｈ 未満の流量区分２−３、…、１４６０以上の流量区分１３といった１５の流量区分がある。現在使用されているガス器具の属する流量区分の情報は、使用ガス器具使用検出の判断材料となる。
【００５９】
また、より精密にガス器具の使用検出を行うには、ガス流量の時間に対する変化として表される流量パターンにより行う。ガス器具による流量パターンの例を図１０に示す。流量パターンは、点火パターン（Ａ）、初期過渡期（Ｂ）、安定期（Ｃ）に分けて分類することでガス器具毎の特徴の把握をすることができる。よく使用されるガス器具の典型的な流量パターンをデータベース化して蓄積しておき、実際のガス流量のデータとマッチングを取ることで、使用ガス器具を使用検出することができる。また、マッチングが取れないガス器具は新しい種類のガス器具として、その流量パターンの特徴を記録しておくことで、新しいデータベースとすることができる。
【００６０】
次に、上述したガス使用報知システムを構成するガス漏れ警報器１０の内部構成について、図３を参照して説明する。上記ガス漏れ警報器１０は、ガスメータ ６が有線で接続される端子台又は無線送受信器などで構成される通信手段となる送受信部１０１、雰囲気中のガス濃度に応じた電気信号を出力するガスセンサ１０２、各種設定を行う設定器などが接続される外部入出力部１０６、ガス漏れ報知を行うためのスピーカ１０３及び制御回路 １０４などを備えている。外部入出力端子１０６を介して、使用検出対象となるガス器具の種類、そのガス器具の設置された場所の、広さ、換気環境などのガス器具が設置された環境情報の設定を行うことができる。なお、ガスセンサ及びスピーカはガス漏れ警報器の外部に備える場合と内蔵する場合がある。
【００６１】
また、制御回路１０４は、主制御部であるμＣＯＭ１０４ａと、動作電源として機能する電池１０４ｂと、インタフェース１０４ｃなどから構成されている。 上記μＣＯＭ１０４ａは、ガスメータ６と同様に、ＲＯＭ１０４ａ１、ＣＰＵ１０４ａ２と、ＲＡＭ１０４ａ３などを内蔵する。また、上述したインタフェース １０４ｃには、送受信部１０１、ガスセンサ１０２の電気信号の出力端、スピーカ１０３、外部の換気手段１０５が接続されている。
【００６２】
上述したガス漏れ警報器１０内のＣＰＵ１０４ａ２は、ガス濃度が所定濃度を超えたとき、ガス漏れを検出し、スピーカ１０３を用いてその旨を報知するガス 漏れ報知処理、ガス漏れを検出したとき、その旨をガスメータ６に通知する通知処理を行ってもよい。ＣＰＵ１０４ａ２は、さらに、ガスメータ６から送信される コード信号に基づき、ガス器具９が使用されているか否かを判断する使用判断処理、後述の使用ガス器具９が使用されていると判断している間、使用時間を計測し、予め定めた時間になると、ガス器具と使用経過時間に応じたメッセージ及び／又は対応するメロディー、ブザー音などを スピーカ１０３から出力させてガス使用者に換気を促す警報を報知することを行っている。なお、ブザー音はスピーカからでなく別に設けるブザーを用いてもよく、該ブザーは、ガス漏れ警報器の外部に設けてもよい。
【００６３】
上記概略で説明した不完全燃焼事故防止のための換気警報装置の詳細な動作について、ガス器具の使用検出手段としてガスメータを使用した場合について以下に説明する。ガスメータ６内のＣＰＵ６７ａ２は、使用ガス器具の登録手段として働き、ガス消費者やガス事業者などが行う登録操作に応じた、流量区分を登録流量区分として登録する登録処理を行う。この登録処理は、インターフェイスから図示しない外部端子を介してＣＰＵで行われ、登録された使用ガス器具の情報が、有線又は無線でガス漏れ警報器へ送信され、ガス漏れ警報器は使用される使用ガス器具を知ることとなる。
【００６４】
ガスメータ６にガス使用者宅で使用している複数のガス器具９のうち、例えば、瞬間湯沸かし器９１の使用を、他のガス器具９の使用とは識別可能に報知してもらいたい場合、ガス使用者やガス事業者は、上記登録操作により、瞬間湯沸かし器９１のみを使用したときの流量区分を予め登録することとなる。なお、本発明 の実施形態において、上記流量区分の登録は、１つだけに限らず、登録流量区分（１）〜（ｎ）までの複数登録できるようになっている。また、図１０に示す様な流量パターンで使用検出を行う場合には、同じ流量区分内でさらに細かくガス器具を特定することが可能となる。
【００６５】
また、ガスメータ６内のＣＰＵ６７ａ２は、定期的に、流量検出・使用時間遮断・送信処理を行っている。この流量検出・使用時間遮断・送信処理におけるガスメータ６の動作について、図４のＣＰＵ６７ａ２の処理手順を示すフローチャートを参照して以下説明する。
【００６６】
まず、ＣＰＵ６７ａ２は、流量センサ６３から出力される流量に応じたパルスの周期を計測し、この周期に基づいてガス流量を検出する流量検出処理を行う（ステップ Ｓ１）。このことから明らかなように、流量センサ６３とＣＰＵ６７ａ２とは、流量計測手段を構成し、流量を検出する。次に、ＣＰＵ６７ａ２は、使用検出手段と して働き、検出したガス流量に基づいてガス器具９が使用されているか否かを判断する（ステップＳ２）。
【００６７】
例えば、ガス流量が１５００リットル／ｈであり、ガス器具９１が使用されていると判断できるとき（ステップＳ２でＹ）、ＣＰＵ６７ａ２は、次に、ガス使用時間をカウ ントするタイマが動作中であるか否かを判断する（ステップＳ３）。タイマが動作中でなければ（ステップＳ３でＮ）、ＣＰＵ６７ａ２は、ガス器具９の使用が 開始されたと判断して、流量区分検出手段として働き、ステップＳ１で検出したガス流量の流量区分を検出する流量区分検出処理を行う（ステップＳ６）。
【００６８】
その後、ＣＰＵ６７ａ２は、ステップＳ６で検出した流量区分（以下、単に検出流量区分）に応じた使用時間遮断値をＲＡＭ６７ａ３から読み出して、この読 み出した使用時間遮断値をこれからガス使用時間と比較する値として設定する（ステップＳ７）。次に、ＣＰＵ６７ａ２は、送信手段として働き、ガス漏れ警報 器１０に対して、コード信号の送信を行うコード信号送信処理を行った後（ステップＳ８）、処理を終了する。
【００６９】
上述したコード信号は、例えば、コード信号Ｓ1〜Ｓn+2の複数パターンある。コード信号Ｓ1は、登録流量区分（１）と検出流量区分とが一致してガス器具９1の使用が検出された旨を示し、コード信号Ｓ2は、登録流量区分（２）と検出流量区分とが一致し、ガス器具９2の使用が検出された旨を示し、…コード信号Ｓnは、登録流量区分（ｎ）と検出流量区分とが一致しガス器具９nの使用が検出された旨を示す。また、コード信号Ｓn+1は、登録流量区分と検出流量区分とが不一致のガス器具９n+1の使用が検出された旨を示し、コード信号Ｓn+2は、ガス器具９が使用されていない旨を各々示す。
【００７０】
つまり、上述したステップＳ８のコード信号送信処理において、ＣＰＵ６７ａ２は、詳しくは、登録流量区分と検出流量区分とが一致している場合は、コード信号Ｓ1〜Ｓnのうち、一致した流量区分に対応するコード信号を送信する。一方、登録流量区分と検出流量区分とが一致していない場合は、コード信号Ｓn+1を送信する。また、コード信号Ｓ1〜Ｓn+2は、登録流量区分と検出流量区分との一致又は不一致の旨、コード信号Ｓ1〜Ｓnは、登録流量区分と検出流量区分とが一致したガス器具９1〜９nの検出結果に応じた使用情報を含んでいる。
【００７１】
また、ステップＳ３において、ガス使用時間をカウントするタイマが動作中であれば（ステップＳ３でＹ）、ＣＰＵ６７ａ２は、カウントされたガス使用時間が、ステップＳ７で設定した使用時間遮断値を超えているか否かを判断する（ステップＳ４）。
【００７２】
使用時間遮断値を超えていれば（ステップＳ４でＹ）、ＣＰＵ６７ａ２は、使用時間遮断手段として働き、遮断弁６４の制御端に対して、弁閉信号を出力する ことにより、遮断弁６４を弁閉状態にして、ガス供給を遮断した後（ステップＳ５）、処理を終了する。一方、使用時間遮断値を超えていなければ（ステップ Ｓ４でＮ）、ＣＰＵ６７ａ２は、直ちに処理を終了する。
【００７３】
また、ステップＳ２において、登録ガス器具が使用されていないと判断できるとき（ステップＳ２でＮ）、ＣＰＵ６７ａ２は、ガ ス使用時間をカウントするタイマが動作中であるか否かを判断する（ステップＳ９）。タイマ動作中であれば（ステップＳ９でＹ）、ＣＰＵ６７ａ２は、タイマ動 作を停止して、ガス使用時間のカウント値を０にした後（ステップＳ１０）、送信手段として働き、登録流量区分と検出流量区分とが一致しないガス器具使用コード信号Ｓn+1をガス漏れ警報器１０に対して送信した後（ステップＳ１１）、処理を終了する。一方、タイマ作動中でなければ（ステップＳ９でＮ）、ＣＰＵ６７ａ２は、直ちに処理を終了する。
【００７４】
以上のガスメータ６によれば、コード信号Ｓ1〜Ｓn+2を受け取ったガス漏れ警報器１０が、受信したコード信号Ｓ1〜Ｓn+2に基づき、現在、ガス器具９のうちどのガス器具が使用されているか否かを判断し、特定のガス器具が使用されていると判断されている間、ガス使用開始以降の継続使用経過時間を計測して、ガス器具の種類と継続使用経過時間に応じたメッセージを警報として外部へ報知するようにすれば、報知された情報によりガス使用者は換気について適切な行動のアドバイスをを認識することができる。
【００７５】
以上の説明では、ガスメータでガス器具を使用検出して、該当するコード信号を警報器へ送るように構成したが、ステップ６の流量区分処理の結果やステップ７の使用時間遮断値設定の結果を警報器へ送って、警報器において、受信した流量区分値や使用時間遮断定値から、使用ガス器具を使用検出するように構成してもよい。また、ガスメータであらかじめ所定のガス流量値にフラグを割付つけ、そのフラグ情報を警報器へ送信してもよい。その際、瞬時流量値もガス器具使用検出の参照データとなる。
【００７６】
上記のコード信号、流量区分値、使用時間遮断定値および瞬時流量値を警報器が受信するに際して、警報器からデータ要求をガスメータへ送信し、それに応えてガスメータからデータ応答として、上記のコード信号、流量区分値、使用時間遮断定値および瞬時流量値を通信電文などで送信するように構成することで汎用性が増す。なお、通信電文は、例えば通信制御キャラクタ「ＳＴＸ」で始まり器番を含むデータを挟んで「ＥＴＸ」で終わるように構成する。
【００７７】
上記のデータ要求は定期的に行ってもよいが、ガス流量の無いときは無駄になるので、ガスメータの方から警報器は起動要求を出し、それに応える形で警報器からデータ要求を出し、さらにそれに応えてガスメータからデータ応答を送信するように構成してもよい。
【００７８】
次に、上述したガスメータ６から送信されるコード信号を受信し警報報知のための処理を行うガス漏れ警報器１０の動作について、図５のＣＰＵ１０４ａ２の処理手順を示すフローチャートを参照して以下に説明する。ここでは、説明の都合上、ｎ＝２として、Ｓ１〜Ｓ４のコード信号を対象とする。
【００７９】
まず、ＣＰＵ１０４ａ２は、使用判断手段として働き、ガスメータ６から送信されたコード信号に基づき、想定されたコード信号か否かを判断する（ステップＳ１２）。コード信号がコード信号Ｓ1〜Ｓ４の何れかであり、処理対象のコード信号と判断すると（ステップＳ１２でＹ）、ＣＰＵ１０４ａ２は、コード信号の判別を行う。判別はＳ１〜Ｓ４のいずれかであり、Ｓ１又はＳ２該当するコード信号が存在した場合はコード信号に応じた処理を行い、該当するコード信号が無い場合はそのガス器具が使用されていないとして該コード信号に対応するタイマをゼロにリセットする。
【００８０】
また、コード信号がＳn+１、ここではＳ３である場合は、特別の処理は受けない。コード信号がコード信号Ｓn+2の場合、ここではＳ４の場合は、ガス器具９が使用されていないと判断して（ステップＳ１９でＹ）、ＣＰＵ１０４ａ２は、S４の処理として全ての報知処理を終了する。以上のことから明らかなように、ＣＰＵ１０４ａ２及びスピーカ１０３は、警報報知手段として働く。以上のように、予め定めたコード信号の処理を終えると処理フローの最初へ戻る。
【００８１】
次に、Ｓ１の場合についてコード信号が検出された後の処理フローの説明を図６を用いて説明する。図５のコード信号処理のフローのＳ１３でコード信号Ｓ１が存在すると図６に示すコード信号Ｓ１の処理のステップＳ１４へ分岐する。ただし、ガス器具の設置環境によっては換気警報などが不要な場合もあるので警報不要のフラグが立っているときは、警報処理に入らずにＳ１コード処理を終了する。ガス器具の設置環境とは、少なくても部屋の広さや後述の自然換気回数などで決まる換気に関する設置環境である。このような、設置環境情報は、ガスメータから送られるか、外部入出力端子を介して設定されるか、または、予めデフォルト情報として警報装置に設定される。この設定情報の一部として、ガス器具を指定して、警報不要とすれば、警報不要のフラグが該ガス器具について立ち、このガス器具については、警報が行われることがない。このフラグの有無の制御が警報選択手段となる。ここでデフォルト情報とは、例えば、開放型の給湯器であれば通常台所へ設置されるので、広さが５平方メートル、自然換気回数が１などと設定されることとなる。家の構造も地域差があるので、警報装置が出荷される地域別にデフォルト情報を変えることが望ましい。
【００８２】
コード信号Ｓ１の継続使用経過時間を計測するためのタイマをＴ１として。初めてＳ１の処理フローへ入ってきたときに、Ｓ３０でタイマＴ１をリセットする。このＴ１で、初めてフローＳ１４へ入ってから以降の経過時間、すなわち、使用ガス器具９１が使われ始めてからの継続使用経過時間を計測する。次のステップＳ３３で図７に示された使用ガス器具とその使用ガス器具の継続使用経過時間で決められる注意メッセージ例を、予め定めた使用ガス器具の種類と経過時間に対応した、ＲＯＭなどの記憶手段に蓄えられた換気注意メッセージやメロディーなどの対応表から該等するものを見出す。
【００８３】
ここで、特定のガス器具の設置されている部屋の名称を設置環境に含めて換気警報メッセージに入れることもできる。例えば、小型湯沸器とガスコンロは台所に設置され、ガスストーブは居間に設置され、風呂釜は風呂場に設置されているとすると、小型湯沸器に対する警報の際に台所の換気扇を回すように、場所を指定して換気警報を出すことができる。ここで、それぞれの部屋の広さと換気の状態から決まる換気警報が発生されるガス器具継続使用経過時間が決まってくる。ガス器具と該ガス器具が設置された部屋の名称との対応情報及び設置された環境の情報は、警報器の外部入出力部を介して設定器により入力する。また、前記各種情報は、ガスメータから送受信部を介して警報器へ入力してもよい。
【００８４】
ここで、記憶手段には、想定される全ての警報分を蓄えておいてもよいが、使用頻度の高い、「給湯器」、「ストーブ」、「コンロ」などの単語と、「が使用されていますので換気扇を回し始めてください」などの句を音声ライブラリーとして蓄えておき、使用器具と警報の内容により組み合わせて「給湯器が使用されていますので換気扇を回し始めてください」などの、警報メッセージを生成してもよい。また、図９に示す標準的な継続使用経過時間時に、直ぐに警報を出さずに、所定の遅延時間を設けてもよい。これは、ガス器具の設置された環境の換気の状況によりゆとり時間を取れるからである。なお、警報メッセージは、換気警報だけでなく、ガスの使用を一度中止してくださいなどの、ガス使用に伴う危険性を下げる手段を示唆するものであれば、何でも良い。
【００８５】
ここで、示す。器具と継続使用経過時間に対応した換気注意メッセージやメロディーは予めメーカで定めたものだけでなく、例えばガスメータから送受信部１０１を介して、又は、入出力部１０６を介してＲＯＭの記憶内容を書き換えてガス使用者の好みで変えることも出来る。ガスメータからの情報で書き換えるときは、ＲＯＭの書き換え用に特別のコード信号を用いてＣＰＵに必要なＲＯＭの書き換え処理を行わせることができる。また、メロディーに加えて聞くと不快感を与えるブザー音を対応表に加えても良い。換気注意メッセージは警報メッセージであり、メロディーやブザー音は警報音となる。さらに、警報メッセージを表示器に表示するようにしてもよい。
【００８６】
ここで、ステップＳ３３の中を説明すると、タイマＴ１が所定の時間Ｔ１１と等しくなったときはＳ３３１で分岐して、メッセージとしてＭ１１「台所の換気扇を回し始めて下さい」をメッセージバッファーＭに取り込む。ここで、継続使用経過時間＝０としておくと、使用開始直後から換気に関する警報を報知することになるので、継続使用経過時間に関係なく使用開始と共に警報の報知がされることになる。
【００８７】
次に、ステップＳ３４で、Ｓ３３で見出されたメッセージやメロディがあればその報知を行って警報を知らしめる。その後、経過時間が予め定めた警報時間Ｔalarmになっていないときは、Ｓ３１でＴ１を増加して、増加分のアイドル時間を経てＳ３３へ戻る。増加分の単位は、任意であって、秒単位でも、分単位でも、クロック単位でもよく、処理時間を考慮して決めることとなる。Ｓ３３へ戻って、Ｔ１＝Ｔ１２になっているときは、ステップＳ３３３で分岐して、新たなメッセージＭ１２をメッセージバッファに取り込み、必要に応じて、外部駆動端子から換気扇などの駆動を自動的に行うようにしてもよい。図７に示すように、継続使用経過時間の増大と共に警報の内容が変化し、さらに、継続使用経過時間が増大して、Ｔ１が予め定めたＴalarm等しくなったときは、スピーカを通じたブザー音又はブザーを使って警報を報知する（ステップＳ３７）。緊急性に応じて、間欠ブザーから連続ブザーに段階的にブザー音を発しても良い。また、このブザー警報は非常事態に行われるものとして、ステップ３７の中で繰り返してブザー警報を行うために、Ｔ１を増加して、所定の時間ごとに、例えば１５分毎にブザー警報を繰り返すようにしてもよい。ブザー警報は非常事態の警報として部屋の外又は建物の外へ報せるように構成しても良い。このブザー警報の報知をした後にＳ１の処理が終了する。
【００８８】
なお、Ｓ１コードの処理中に、他のコードの処理の必要が生じる場合もあるが、ＯＳでマルチタスク処理をして適宜処理の割り込みを掛けて、見かけ上並列に複数のガス器具の使用時間を観測し警報を報知することができる。
【００８９】
ここで、換気について説明すると、室内の空気が室外の空気と入れ替わる現象を換気といい，窓や隙間を通して自然に行われるのが自然換気であり、機械を用いて行うのを機械換気である。自然換気が行われる原動力は，屋外の風と室内外の温度差である。図１１に示すように、風が建物に当たると風の当たった側では風がせきとめられるために気圧が高くなり，反対側では逆に空気が吸引されるので圧力が低くなるので、建物に隙間や開口部があれば，風上の空気は室内に流人して，反対の隙間から屋外に抜け，室内空気の換気が行われる。また，室内が室外より温度が高く部屋の上下に隙間があれば，室内の暖かい空気は軽いために上昇して上方の隙間から室外に排出され、これに伴って下部の隙間から冷たい外気が吸込まれる。即ち，室内外の温度差による浮力によって室内空気の換気が行われる。
【００９０】
また、一般の建物では，窓，天井，床，壁などに隙間があって，常に必ず自然換気が行われている。自然換気の行われる程度を表わすのに，自然換気回数を用いる。これは１時間当り部屋の空気が何回入れ替わるかを示すもので、換気量を部屋の容積で割った商として算出される。部屋の構造で大きく異なる自然換気回数を表２に示す。近年，コンクリート及びアルミサッシの住宅が急増しているが，これらの部屋の自然換気回数は，在来の木造住宅の1/10 にも達しないことに注意が必要である。
【００９１】
【表２】
2008241233.tif 000004
【００９２】
自然換気での不足分を人為的な換気で補う必要があり、最近の、普通に作られた木造洋室では自然換気では不足なので意識的な窓明け、換気扇を回すなどの換気作業が必要になることが分かる。
【００９３】
次に、室内でガスを燃焼した場合の室内環境の変化を考える。自然換気の行なわれている室内でガスを燃焼し，燃焼ガスがそのまま室内に放散されると，燃焼開始直後は室内の酸素濃度の減少が著しく，時間の経過とともにその減少割合は少なくなり，図１２に示すように長時間経過後平衡点に達してある一定濃度の定常状態を保つようになる。図１２は，換気回数とガスの燃焼開始後の経過時間を変化させた場合の，室内の酸素濃度変化を示したグラフである。換気回数が多いほど平衡酸素濃度は高く，換気回数（ｎ）が少ないほど室内の酸素濃度は早く減少し平衡酸素濃度も低いことが分かる。また、換気が行われない（ｎ＝０）場合は、急速に酸素濃度が減少して不完全燃焼につながることも分かる。
【００９４】
次に、ガスの不完全燃焼によって一酸化炭素が発生した場合の室内ＣＯ濃度は，時間の経過とともにしだいに，増加割合が大きくなり，ある経過時間後平衡濃度（％）に達し、ＣＯの最終平衡濃度は次式で示される。
【００９５】
【数１】
2008241233.tif 000005
【００９６】
不完全燃焼を防止するために必要な換気量は、使用ガス器具の置かれた環境に依存しつつ、使用ガス器具と使用時間で定まる。つまり、ガス器具の使用環境が定まれば、換気注意メッセージが必要ガス器具の継続使用経過時間で決まってくる。ここで、一酸化炭素についての理論的な換気量を求める。通常の燃焼時における排出濃度は理論乾燥燃焼ガス（１ｋＷ当たり０．７７ｍ３／ｈ）中で、ファンヒ−タ−で９０〜１２０ｐｐｍ、コンロで３００〜４００ｐｐｍのものが多い。４００ｐｐｍを代表値とすると、一酸化炭素発生量は、４００×１０−６×０．７７ｍ３／ｈ＝３０８×１０−６ｍ３／ｈである。許容される一酸化炭素濃度が１０ｐｐｍとすると、取り入れ外気の一酸化炭素濃度が０ｐｐｍの場合、次式のＱｐ＜ＣＯ＞＝３０８×１０−６[ｍ３／ｈ]／（（１０−０）×１０−６[ｍ３／ｍ３]）＝３０．８[ｍ３／ｈ]  のように一酸化炭素に対する必要換気量が求められる。
【００９７】
４ＫＷのファンヒータであれば、上記の4倍の１２３ｍ３／ｈとなり、６畳の部屋の容積を２４ｍ３とすると、5回の換気が必要となる。表2に示される部屋の構造で大きく異なる自然換気回数を見ると、和風板張り粗作りの場合以外は、自然換気回数が不足するので自然換気での不足分を人為的な換気で補う必要があり、最近の、普通に作られた木造洋室では自然換気では不足なので意識的な窓明け、換気扇を回すなどの換気作業が必要になることが分かる。
【００９８】
必要な換気量は、使用するガス器具により異なるが、ガス使用量がガスの体積当たりの熱量とそのガス器具の出力（ＫＷ）から分かるので、そのガス器具を使用する部屋の状態により必要な換気量を予め、メーカで理論値として算出しておくことができる。ガス器具を設置した際に、部屋の大きさと換気方法（換気扇、窓明けなど）と現場での経験則で、使用ガス器具と使用時間に応じた換気方法のメッセージを図７に示す様に用意することができる。図７に示すように、コード信号に対応する換気注意メッセージやメロディを報知させることにより複数登録した使用ガス器具に応じた換気メッセージを部屋別にがガス使用者へ報知されることができるようになる。
【００９９】
なお、上述した実施形態では、ガス使用量が多く、不完全燃焼事故の懼れの大きいガス器具９１（ガス瞬間湯沸かし器）については、Ｔ１１＝０とすることで、使用が開始されるとすぐに、ガス漏れ警報器がガス使用報知を行うようにすることができる。また、ガス使用量が湯沸し器に比べ少ないガステーブル９２はＴ２１＝１０としてガス器具の使用開始から１０分経過後に換気に関する注意メッセージを報知するようにして、同じ台所であっても無駄な注意を行わないようにすることができる。
【０１００】
不完全燃焼事故防止システムの別の構成としては、例えば、ガスメータ６において、ガス器具９の使用を開始してから所定時間経過した後、ガス器具９の使用が維持されていれば、コード信号Ｓ1〜Ｓn+1を送信するようにして、ガスメータ６側でガス器具の使用時間を計測して換気注意メッセージの選択手段を設けるようにしてもよい。
【０１０１】
また、ガスメータ６又はガス漏れ警報器１０において、設定操作によって上記所定時間及び警報メッセージ及び警報音を設定することができるようにすることで、ガス使用者の環境に応じたきめ細かい換気注意メッセージの報知をすることも考えられる。このようにすれば、ガス使用者の注意力に応じた換気注意メッセージの報知を行うことができる。
【０１０２】
さらに、上述した実施形態では、膜式の流量センサを用いてガス流量を検出するガスメータを例に挙げて説明していたが、ガスメータとしては、これに限られたものでなく、超音波式や、熱式の流速センサを用いて、ガス流量を検出するガスメータにも適用することができる。また、報知手段は上記のガス漏れ警報器だけでなく、ＣＯ警報器、火災警報器、宅内情報盤など、ガス使用者に報知することができる手段であれば何でも良い。
【０１０３】
また、本実施例では、ガスの流量計測をガスメータで行い、換気警報を広く普及しているガス漏れ警報器で行うように構成しているが、全ての手段を一体に収めてもよいし、報知手段のみを室内に設け、それ以外をガスメータに備えるなど、本発明に係る換気警報装置の各手段の切り分けは自由である。そして、警報手段や、ガス器具使用検出手段を前述のガス漏れ警報器だけでなく、ＣＯ警報器、火災警報器、宅内情報盤などの宅内装置に収めても良い。
【０１０４】
さらに、上述した実施形態では、ガス器具９の使用の有無に関わらず常にガス警報器での監視を行うようにしているが、ガスの使用が開始されたときにガスメータなどのガス流量計測手段からの信号で初めてガス警報器のセンサ電源が入るようにしたり、一定間隔毎に、例えば１分毎に使用ガス器具の使用情報を含むコード信号を送信するようにして、それに合わせてガス警報器が動作するように構成することで警報装置の省電力化を図ることもできる。
【図面の簡単な説明】
【０１０５】
【図１】本発明の換気警報機能付ガス漏れ警報器１０を備えたガス供給設備の一実施の形態を示す図である。
【図２】図１に示すガスメータ６の内部構成図である。
【図３】図１に示す換気警報機能付ガス漏れ警報器１０の内部構成図である。
【図４】流量検出・使用時間遮断・送信処理におけるガスメータ６内のＣＰＵ６７ａ２の処理手順を示すフローチャートである。
【図５】ガス使用報知処理における換気警報機能付ガス漏れ警報器１０内のＣＰＵ１０４ａ２の処理手順を示すフローチャートである。
【図６】コード信号S1を処理する換気警報機能付ガス漏れ警報器１０内のＣＰＵ１０４ａ２の処理手順を示すフローチャートである。
【図７】ガス器具と継続使用経過時間による注意メッセージ例を示す図である。
【図８】従来のガス漏れ警報器１０とＣＯ警報器１１を備えたガス供給設備の一実施の形態を示す図である。
【図９】ガス器具による標準的なガス消費量と使用時間の分布を表す図である。
【図１０】ガス器具により異なる流量パターンの例を示す図である。
【図１１】住宅における換気の様子を示す図である。
【図１２】室内でガス器具を使用する場合の自然換気回数による酸素濃度変化を示す図である。
【符号の説明】
【０１０６】
６          ガスメータ
６３        流量センサ（流量計測手段）
６７ａ２    ＣＰＵ（流量計測手段、使用検出手段、送信手段、登録手段、流量区分検出手段、使用時間遮断手段）
１０        ガス漏れ警報器
１０３      スピーカ（報知手段）
１０４ａ２  ＣＰＵ（報知手段、使用判断手段）
【図１】
2008241233.tif 000006
【図２】
2008241233.tif 000007
【図３】
2008241233.tif 000008
【図４】
2008241233.tif 000009
【図５】
2008241233.tif 000010
【図６】
2008241233.tif 000011
【図７】
2008241233.tif 000012
【図８】
2008241233.tif 000013
【図９】
2008241233.tif 000014
【図１０】
2008241233.tif 000015
【図１１】
2008241233.tif 000016
【図１２】
2008241233.tif 000017